【手続補正書】
【提出日】平成31年2月28日(2019.2.28)
【手続補正１】
【補正対象書類名】特許請求の範囲
【補正対象項目名】全文
【補正方法】変更
【補正の内容】
【特許請求の範囲】
【請求項１】
サーバが第１のユーザの端末から、第２のユーザ及び第３のユーザが参加者の会議ルームを生成するための会議ルーム生成要求を受信する工程と、
前記会議ルーム生成要求を受信した場合に、前記サーバが、前記第１乃至第３のユーザを参加者にする前記会議ルームを生成する工程と、
前記サーバが、前記第１乃至第３のユーザの端末のうち、少なくとも１人の参加者の端末から、所定の音量以上の音声データを受信する工程と、
前記サーバが、前記受信された音声データに基づいて会議データを生成する工程と、
前記サーバが、前記会議データを前記参加者の端末に送信する工程と、を含む会議サービス提供方法。
【請求項２】
前記会議ルームを生成する工程は、
前記会議ルーム生成要求を受けて、前記会議ルームに係わる会議状態画面を生成し、前記会議状態画面を前記第１のユーザの端末に提供する工程と、
前記第１のユーザの端末から、第２のユーザ及び第３のユーザを参加者にする会議ルームを生成する最終生成要求を受信する工程と、
前記最終生成要求を受けて、前記第１のユーザないし前記第３のユーザを参加者にする会議ルームを生成する工程と、を含み、
前記会議状態画面は、
会議ルームの状態を表示する画面であり、会議ルームに含まれた参加者情報、または会議ルームに入室した参加者情報を含むことを特徴とする請求項１に記載の会議サービス提供方法。
【請求項３】
前記会議データは、
前記会議に係わる会議進行画面を構成する参加者情報、参加者のプロフィール写真、前記参加者の状態情報、前記参加者の入室時間、前記参加者の退室時間、前記会議の総参加者数、前記会議の経過時間及び前記会議の状態情報のうち少なくとも一つを含むことを特徴とする請求項１に記載の会議サービス提供方法。
【請求項４】
前記会議ルームを生成する工程は、
前記第２のユーザ及び第３のユーザの端末に、前記会議ルームに連結されたリンクを含む招待メッセージを送信する工程と、
前記リンクを選択するイベントを受けて、前記第２のユーザ及び第３のユーザのうち少なくとも一人を、前記会議ルームに入室させる工程と、を含み、
前記会議ルームに入室したユーザの状態は、会議ルーム入室に設定されることを特徴とする請求項１に記載の会議サービス提供方法。
【請求項５】
前記会議ルームを生成する工程は、
前記第２のユーザ及び第３のユーザの端末に、前記会議ルームに連結されたリンクを含む招待メッセージを送信する工程と、
前記第２のユーザ及び第３のユーザの端末のうち少なくとも一つからの前記リンクを選択するユーザ入力を受けて、前記第２のユーザ及び第３のユーザのうち少なくとも一人を、前記会議ルームに係わる会議状態画面に移動させる工程と、
前記第２のユーザ及び第３のユーザのうち少なくとも一人から、前記会議状態画面に含まれた会議ルーム入室ボタンに対する入力を受信する工程と、
前記入室ボタンに対する入力を受けて、前記第２のユーザ及び第３のユーザのうち少なくとも一人を、前記会議ルームに入室させる工程と、を含み、
前記会議状態画面は、
会議ルームの状態を表示する画面であり、会議ルームに含まれた参加者情報、または会議ルームに入室した参加者情報を含み、
前記会議ルームに入室したユーザの状態は、会議ルーム入室に設定されることを特徴とする請求項１に記載の会議サービス提供方法。
【請求項６】
前記会議データは、代表イメージを含み、
前記代表イメージは、
前記会議ルームに含まれた参加者数に分割され、前記会議ルームに含まれた複数の参加者のプロフィール写真を含むことを特徴とする請求項１に記載の会議サービス提供方法。
【請求項７】
コンピュータを利用して、請求項１ないし６のうちいずれか１項に記載の方法を実行させるためにコンピュータ可読媒体に保存されたコンピュータプログラム。
【請求項８】
第１のユーザの端末が、第１のユーザから、第２のユーザ及び第３のユーザを参加者にする第１会議ルームを生成するための第１会議ルーム生成要求が入力される工程と、
前記第１会議ルーム生成要求の入力を受けて、前記第１のユーザの端末が、前記第１会議ルームを生成する工程と、
前記第１会議ルームの状態が活性化状態である間、前記第１のユーザの端末から、所定の音量以上の大きさを有する第１音声ファイルが入力されるか、または前記第２のユーザ及び第３のユーザの端末のうち少なくとも一つから受信した所定の音量以上の大きさを有する第２音声ファイル、及び参加者の情報を受信する工程と、
前記第２音声ファイルを出力し、前記参加者の情報を基に、前記参加者のうち全部または一部を参加者として設定して第１会議進行画面を表示する工程と、
前記第１音声ファイルを、前記第２のユーザ及び第３のユーザの端末に送信する工程と、を含み、
前記第１会議ルームの状態は、ユーザの要求によって決定され、
前記参加者は、
会議ルームの参加者でありながら、所定の音量以上の大きさを有する音が入力された端末の所有者である会議サービス提供方法。
【請求項９】
前記第２音声ファイルは、
前記第２のユーザの端末から受信した所定の音量以上の大きさを有する第１音データ、及び第３のユーザの端末から受信した所定の音量以上の大きさを有する第２音データのうち少なくとも一つを含むことを特徴とする請求項８に記載の会議サービス提供方法。
【請求項１０】
第１のユーザから、前記第１会議ルームを非活性化させる非活性要求信号が入力される工程と、
前記非活性要求信号に対応し、前記第１会議ルームの状態を非活性状態に変更する工程と、をさらに含み、
前記第１会議ルームの状態が非活性状態である間、前記第１会議進行画面をアップデートせず、入力された音を他の参加者の端末に送信しないことを特徴とする請求項８に記載の会議サービス提供方法。
【請求項１１】
前記第１のユーザの端末が、第１のユーザから、第４のユーザ及び第５のユーザを参加者にする第２会議ルームを生成する第２会議ルーム生成要求が入力される工程と、
前記第２会議ルーム生成要求の入力を受けて、前記第１のユーザの端末が、前記第２会議ルームを生成する工程と、をさらに含むことを特徴とする請求項８に記載の会議サービス提供方法。
【請求項１２】
通信部が、第３会議ルーム生成者の端末から、第３会議ルームに対する招待メッセージを受信する工程と、
前記第３会議ルームに対する招待メッセージを受けて、前記第３会議ルームに接続する工程と、
前記第３会議ルームの参加者、及び入室した参加者情報を確認するために、前記第３会議ルームの会議状態画面を受信し、前記第３会議ルームの会議状態画面を表示する工程と、
前記第１のユーザの端末が、前記第３会議ルームに対する入室信号が入力される工程と、
前記第３会議ルームに対する入室信号を受けて、前記第３会議ルームに入室する工程と、を含むことを特徴とする請求項８に記載の会議サービス提供方法。
【請求項１３】
コンピュータを利用して、請求項８ないし１２のうちいずれか１項に記載の方法を実行させるためにコンピュータ可読媒体に保存されたコンピュータプログラム。
【請求項１４】
第１のユーザの端末から、第２のユーザ及び第３のユーザを参加者にする会議ルームを生成するための会議ルーム生成要求を受信する要求受信部と、
前記会議ルーム生成要求を受けて、会議ルーム制御部が、前記第１のユーザないし前記第３のユーザを参加者にする会議ルームを生成する会議ルーム制御部と、
前記第１のユーザないし前記第３のユーザの端末のうち、少なくとも１人の参加者の端末から、所定の音量以上の音声データを含む音声ファイル、及び前記参加者の情報を受信するファイル受信部と、
前記受信した音声ファイル及び前記参加者の情報を併合して会議データを生成する状態制御部と、
前記会議データを前記参加者の端末に提供する表示制御部と、を含み、
前記参加者は、
会議ルームの参加者であり、所定の音量以上の大きさを有する音が入力された端末の所有者である会議サービス提供サーバ。
【請求項１５】
前記会議ルーム制御部は、
前記会議ルーム生成要求を受けて、前記会議ルームに係わる会議状態画面を生成し、前記会議状態画面を前記第１のユーザの端末に提供し、前記第１のユーザの端末から、第２のユーザ及び第３のユーザを参加者にする会議ルームを生成する最終生成要求を受信し、前記最終生成要求を受けて、前記第１のユーザないし前記第３のユーザを参加者にする会議ルームを生成し、
前記会議状態画面は、
会議ルームの状態を表示する画面であり、会議ルームに含まれた参加者情報、または会議ルームに入室した参加者情報を含むことを特徴とする請求項１４に記載の会議サービス提供サーバ。
【請求項１６】
前記会議データは、
前記会議に係わる会議進行画面を構成する参加者情報、参加者のプロフィール写真、前記参加者の状態情報、前記参加者の入室時間及び退室時間、前記会議の総参加者数、前記会議の経過時間、前記会議の状態情報のうち少なくとも一つを含むことを特徴とする請求項１４に記載の会議サービス提供サーバ。
【請求項１７】
前記会議ルーム制御部は、
前記第２のユーザ及び第３のユーザの端末に、前記会議ルームに連結されたリンクを含む招待メッセージを送信し、前記リンクの選択を受けて、前記第２のユーザ及び第３のユーザのうち少なくとも一人を、前記会議ルームに入室させ、
前記会議ルームに入室したユーザの状態は、会議ルーム入室に設定されることを特徴とする請求項１４に記載の会議サービス提供サーバ。
【請求項１８】
前記会議ルーム制御部は、
前記第２のユーザ及び第３のユーザの端末に、前記会議ルームに連結されたリンクを含む招待メッセージを送信し、前記第２のユーザ及び第３のユーザの端末のうち少なくとも一つからの前記リンクを選択するユーザ入力を受けて、前記第２のユーザ及び第３のユーザのうち少なくとも一人を、前記会議ルームに係わる会議状態画面に移動させ、前記第２のユーザ及び第３のユーザのうち少なくとも一人から、前記会議状態画面に含まれた会議ルーム入室ボタンに対する入力を受信し、前記入室ボタンに対する入力を受けて、前記第２のユーザ及び第３のユーザのうち少なくとも一人を、前記会議ルームに入室させ、
前記会議状態画面は、
会議ルームの状態を表示する画面であり、会議ルームに含まれた参加者情報、または会議ルームに入室した参加者情報を含み、
前記会議ルームに入室したユーザの状態は、会議ルーム入室に設定されることを特徴とする請求項１４に記載の会議サービス提供サーバ。
【請求項１９】
前記会議データは、代表イメージを含み、
前記代表イメージは、
前記会議ルームに含まれた参加者数に分割され、前記会議ルームに含まれた複数の参加者のプロフィール写真を含むことを特徴とする請求項１４に記載の会議サービス提供サーバ。
【手続補正２】
【補正対象書類名】明細書
【補正対象項目名】０００８
【補正方法】変更
【補正の内容】
【０００８】
本発明の実施形態による会議サービス提供方法は、サーバが第１のユーザの端末から、第２のユーザ及び第３のユーザが参加者の会議ルームを生成するための会議ルーム生成要求を受信する工程と、前記会議ルーム生成要求を受信した場合に、前記サーバが、前記第１乃至第３のユーザを参加者にする前記会議ルームを生成する工程と、前記サーバが、前記第１乃至第３のユーザの端末のうち、少なくとも１人の参加者の端末から、所定の音量以上の音声データを受信する工程と、前記サーバが、前記受信された音声データに基づいて会議データを生成する工程と、前記サーバが、前記会議データを前記参加者の端末に送信する工程と、を含む。
【手続補正３】
【補正対象書類名】明細書
【補正対象項目名】０００９
【補正方法】変更
【補正の内容】
【０００９】
前記会議ルームを生成する工程は、前記会議ルーム生成要求を受けて、前記会議ルームに係わる会議状態画面を生成し、前記会議状態画面を前記第１のユーザ端末に提供する工程と、前記第１のユーザの端末から、第２のユーザ及び第３のユーザを参加者にする会議ルームを生成する最終生成要求を受信する工程と、前記最終生成要求を受けて、前記第１のユーザないし前記第３のユーザを参加者にする会議ルームを生成する工程と、を含み、前記会議状態画面は、会議ルームの状態を表示する画面であり、会議ルームに含まれた参加者情報、または会議ルームに入室した参加者情報を含んでもよい。
【手続補正４】
【補正対象書類名】明細書
【補正対象項目名】００１０
【補正方法】変更
【補正の内容】
【００１０】
前記会議データは、前記会議に係わる会議進行画面を構成する参加者情報、参加者のプロフィール写真、前記参加者の状態情報、前記参加者の入室時間、前記参加者の退室時間、前記会議の総参加者数、前記会議の経過時間及び前記会議の状態情報のうち少なくとも一つを含んでもよい。
【手続補正５】
【補正対象書類名】明細書
【補正対象項目名】００１１
【補正方法】変更
【補正の内容】
【００１１】
前記会議ルームを生成する工程は、前記第２のユーザ及び第３のユーザの端末に、前記会議ルームに連結されたリンクを含む招待メッセージを送信する工程と、前記リンクを選択するイベントを受けて、前記第２のユーザ及び第３のユーザのうち少なくとも一人を、前記会議ルームに入室させる工程と、を含み、前記会議ルームに入室したユーザの状態は、会議ルーム入室に設定される。
【手続補正６】
【補正対象書類名】明細書
【補正対象項目名】００１２
【補正方法】変更
【補正の内容】
【００１２】
前記会議ルームを生成する工程は、前記第２のユーザ及び第３のユーザの端末に、前記会議ルームに連結されたリンクを含む招待メッセージを送信する工程と、前記第２のユーザ及び第３のユーザの端末のうち少なくとも一つからの前記リンクを選択するユーザ入力を受けて、前記第２のユーザ及び第３のユーザのうち少なくとも一人を、前記会議ルームに係わる会議状態画面に移動させる工程と、前記第２のユーザ及び第３のユーザのうち少なくとも一人から、前記会議状態画面に含まれた会議ルーム入室ボタンに対する入力を受信する工程と、前記入室ボタンに対する入力を受けて、前記第２のユーザ及び第３のユーザのうち少なくとも一人を、前記会議ルームに入室させる工程と、を含み、前記会議状態画面は、会議ルームの状態を表示する画面であり、会議ルームに含まれた参加者情報、または会議ルームに入室した参加者情報を含み、前記会議ルームに入室したユーザの状態は、会議ルーム入室に設定される。
【手続補正７】
【補正対象書類名】明細書
【補正対象項目名】００１３
【補正方法】変更
【補正の内容】
【００１３】
前記会議データは、代表イメージを含み、前記代表イメージは、前記会議ルームに含まれた参加者数に分割され、前記会議ルームに含まれた複数の参加者のプロフィール写真を含んでもよい。
【手続補正８】
【補正対象書類名】明細書
【補正対象項目名】００１５
【補正方法】変更
【補正の内容】
【００１５】
本発明の実施形態による会議サービス提供方法は、第１のユーザの端末が、第１のユーザから、第２のユーザ及び第３のユーザを参加者にする第１会議ルームを生成するための第１会議ルーム生成要求が入力される工程と、前記第１会議ルーム生成要求の入力を受けて、前記第１のユーザの端末が、前記第１会議ルームを生成する工程と、前記第１会議ルームの状態が活性化状態である間、前記第１のユーザの端末から、所定の音量以上の大きさを有する第１音声ファイルが入力されるか、または前記第２のユーザ及び第３のユーザの端末のうち少なくとも一つから受信した所定の音量以上の大きさを有する第２音声ファイル、及び参加者の情報を受信する工程と、前記第２音声ファイルを出力し、前記参加者の情報を基に、前記参加者のうち全部または一部を参加者として設定して第１会議進行画面を表示する工程と、前記第１音声ファイルを、前記第２のユーザ及び第３のユーザの端末に送信する工程と、を含み、前記第１会議ルームの状態は、ユーザの要求によって決定され、前記参加者は、会議ルームの参加者でありながら、所定の音量以上の大きさを有する音が入力された端末の所有者でもある。
【手続補正９】
【補正対象書類名】明細書
【補正対象項目名】００１６
【補正方法】変更
【補正の内容】
【００１６】
前記第２音声ファイルは、前記第２のユーザの端末から受信した所定の音量以上の大きさを有する第１音データ、及び第３のユーザの端末から受信した所定の音量以上の大きさを有する第２音データのうち少なくとも一つを含んでもよい。
【手続補正１０】
【補正対象書類名】明細書
【補正対象項目名】００１７
【補正方法】変更
【補正の内容】
【００１７】
本発明の実施形態による会議サービス提供方法は、第１のユーザから、前記第１会議ルームを非活性化させる非活性要求信号が入力される工程と、前記非活性要求信号に対応し、前記第１会議ルームの状態を非活性状態に変更する工程と、をさらに含み、前記第１会議ルームの状態が非活性状態である間、前記第１会議進行画面をアップデートせず、入力された音を他の参加者の端末に送信しない。
【手続補正１１】
【補正対象書類名】明細書
【補正対象項目名】００１８
【補正方法】変更
【補正の内容】
【００１８】
本発明の実施形態による会議サービス提供方法は、前記第１のユーザの端末が、第１のユーザから、第４のユーザ及び第５のユーザを参加者にする第２会議ルームを生成する第２会議ルーム生成要求が入力される工程と、前記第２会議ルーム生成要求の入力を受けて、前記第１のユーザの端末が前記第２会議ルームを生成する工程と、をさらに含んでもよい。
【手続補正１２】
【補正対象書類名】明細書
【補正対象項目名】００１９
【補正方法】変更
【補正の内容】
【００１９】
本発明の実施形態による会議サービス提供方法は、通信部が、第３会議ルーム生成者の端末から、第３会議ルームに対する招待メッセージを受信する工程と、前記第３会議ルームに対する招待メッセージを受けて、前記第３会議ルームに接続する工程と、前記第３会議ルームの参加者、及び入室した参加者情報を確認するために、前記第３会議ルームの会議状態画面を受信し、前記第３会議ルームの会議状態画面を表示する工程と、前記第１ユーザの端末が、前記第３会議ルームに対する入室信号が入力される工程と、前記第３会議ルームに対する入室信号を受けて、前記第３会議ルームに入室する工程と、を含んでもよい。